(57)【要約】      （修正有）【課題】タオルやブランケットとしての用途に加え物品を包む用途にも適した布製品を提供する。【解決手段】布製品１０の第１面１１の全面は、雌（メス）の面ファスナ部２１として機能する。第１面１１には、ループパイル状に形成された多数の軟らかい雌繊維部２１ａが全体に略均一に配置されており、これら多数の雌繊維部２１ａにより雌の面ファスナ部２１が形成されている。第２面１２には絵柄が付されている。布製品１０の第２面１２の全面は、雄（オス）の面ファスナ部２２として機能する。第２面１２には、雌繊維部２１ａに絡む多数の軟らかい雄繊維部２２ａが全体に略均一に配置されており、これら多数の雄繊維部２２ａにより雄の面ファスナ部２２が形成されている。雄繊維部２２ａは、雌繊維部２１ａよりも毛足が短く腰が強い。【選択図】図２
0003230271.tif 000002
【実用新案登録請求の範囲】
【請求項１】
タオル又はブランケットとしての用途に適した柔軟性および吸水性を有する布製品であって、一方の面の全面が雌雄一方の面ファスナ部として機能し、他方の面の全面が雌雄他方の面ファスナ部として機能することを特徴とする布製品。
【請求項２】
略方形状の布製品であることを特徴とする請求項１に記載の布製品。
【請求項３】
前記雌雄一方の面ファスナ部は、多数のループパイル状に形成された雌繊維部を有し、
前記雌雄他方の面ファスナ部は、前記第１繊維部に絡む短毛の雄繊維部を有することを特徴とする請求項１に記載の布製品。
【請求項４】
前記一方の面または前記他方の面に絵柄が付されていることを特徴とする請求項１に記載の布製品。
【請求項５】
全周に亘って縢り縫いが施されていることを特徴とする請求項１に記載の布製品。
【考案の詳細な説明】
【技術分野】
【０００１】
本考案は、タオルやブランケットとしての用途に適した布製品に関する。
【背景技術】
【０００２】
従来、複数の切り抜き部を有する面ファスナ層を、柔軟な布の全面に積層してなる積層シートが知られている（特許文献１参照）。この積層シートは、物を包む用途に使用する場合にその接合位置を自在に選択することができる。
【先行技術文献】
【特許文献】
【０００３】
【特許文献１】実用新案登録第３２１６８３７号公報
【考案の概要】
【考案が解決しようとする課題】
【０００４】
しかし、上記積層シートは、「マジックテープ（登録商標）」や「ベルクロ（登録商標）」の商標名で知られる面ファスナに多数の切り抜き部（孔）を設けて形成された面ファスナ層を有するため、柔軟性に欠け、タオルやブランケットとしての用途には適さないという欠点があった。
【０００５】
本考案は、タオルやブランケットとしての用途に加え物品を包む用途にも適した布製品を提供する。
【課題を解決するための手段】
【０００６】
上記課題を解決するために、請求項１の布製品は、タオル又はブランケットとしての用途に適した柔軟性および吸水性を有する布製品であって、一方の面の全面が雌雄一方の面ファスナ部として機能し、他方の面の全面が雌雄他方の面ファスナ部として機能することを特徴とする。
【０００７】
上記のように構成された布製品は、タオルやブランケットとしての用途に適した柔軟性および吸水性を有しつつ、一方の面の全面が雌雄一方の面ファスナ部として機能し、他方の面の全面が雌雄他方の面ファスナ部として機能することにより、一方の面の任意の部分と他方の面の任意の部分とを接合することによって物品を包むことができるので、タオルやブランケットとしての用途に加え物品を包む用途にも適している。
【０００８】
また、請求項２の布製品は、請求項１に記載の布製品であって、略方形状の布製品であることを特徴とする。この布製品は、風呂敷のように四方から物品を包むのに適する。
【０００９】
また、請求項３の布製品は、請求項１の布製品において、前記雌雄一方の面ファスナ部は、多数のループパイル状に形成された雌繊維部を有し、前記雌雄他方の面ファスナ部は、前記雌繊維部に絡む雄繊維部を有することを特徴とする。
【００１０】
上記のように構成された布製品は、雌雄一方の面ファスナ部は、多数のループパイル状に形成された雌繊維部を有するので、タオルやブランケットとしての用途に好適であり、雌繊維部と雄繊維部とが絡みあうことにより、一方の面の任意の部分と他方の面の任意の部分とが接合されるので、タオルやブランケットの特性を損なうことなく物品を包むことができる。
【００１１】
また、請求項４の布製品は、請求項１の布製品において、前記一方の面または前記他方の面に絵柄が付されていることを特徴とする。これにより、タオルやブランケットとしての用途に加え物品を包む用途にも適した絵柄付きの布製品が実現される。
【００１２】
また、請求項５の布製品は、請求項１の布製品において、全周に亘って縢り縫いが施されていることを特徴とする。これにより、タオルやブランケットとしての用途に加え物品を包む用途にも適し周縁部がほつれ難い布製品が実現される。
【考案の効果】
【００１３】
本考案によれば、タオルやブランケットとしての用途に加え物品を包む用途にも適した布製品を実現することができる。
【図面の簡単な説明】
【００１４】
【図１】（Ａ）：本考案の一実施形態を示す布製品の一方の面の平面図である。（Ｂ）：本考案の一実施形態を示す布製品の他方の面の平面図である。
【図２】図１に示す布製品が有する雌雄の面ファスナ部の構成を例示する拡大図である。
【図３】（Ａ）：図1に示す布製品で物品を包む方法の一工程を例示する平面図である。（Ｂ）：（Ａ）の次の一工程を例示する平面図である。
【図４】（Ｃ）：図３（Ｂ）の次の一工程を例示する平面図である。（Ｄ）：（Ｃ）の次の一工程を例示する平面図である。
【図５】図１に示す布製品で物品を包み終えた状態を例示する平面図である。
【図６】図１に示す布製品で複数の物品を結束した状態を例示する平面図である。
【考案を実施するための形態】
【００１５】
以下、添付図面を参照して、一実施形態の布製品について説明する。
【００１６】
［構成］
図１（Ａ）および図１（Ｂ）に示すように、一実施形態の布製品１０は、略正方形の布製品である。布製品１０には、タオルとしての用途に適した柔軟性および吸水性を有する布地が使用される。
【００１７】
図１（Ａ）は、布製品１０の一方の面（以下、第１面とも称す）１１の平面図である。布製品１０の第１面１１の全面は、雌（メス）の面ファスナ部２１として機能する。より詳細には、第１面１１には、図２に示すように、ループパイル状に形成された多数の軟らかい雌繊維部２１ａが全体に略均一に配置されており、これら多数の雌繊維部２１ａにより雌の面ファスナ部２１が形成されている。
【００１８】
図１（Ｂ）は、布製品１０の他方の面（以下、第２面とも称す）１２の平面図である。第２面１２には絵柄が付されている。布製品１０の第２面１２の全面は、雄（オス）の面ファスナ部２２として機能する。より詳細には、第２面１２には、図２に示すように、雌繊維部２１ａに絡む多数の軟らかい雄繊維部２２ａが全体に略均一に配置されており、これら多数の雄繊維部２２ａにより雄の面ファスナ部２２が形成されている。雄繊維部２２ａは、雌繊維部２１ａよりも毛足が短く腰が強い。
【００１９】
また、布製品１０には縁取部１３が形成されている。縁取部１３は、布製品１０の布地の全周に、ロックミシンなどを使用して縢り縫いを施すことにより形成される。
【００２０】
［使用方法］
つぎに、布製品１０の使用法について説明する。
【００２１】
（例１）
図３から図５を参照して、布製品１０で四方から物品を包む方法の一例について説明する。ここでは、布製品１０の四つの角部を、それぞれ第１角部１０ａ、第２角部１０ｂ、第３角部１０ｃ及び第４角部１０ｄと称す。第１角部１０ａ及び第３角部１０ｃは、互いに対向する位置にある角部である。第２角部１０ｂ及び第４角部１０ｄは、互いに対向する位置にある角部である。
【００２２】
まず、図３（Ａ）に示すように、第１面１１を上にした状態の布製品１０に、物品Ａｒ１〜Ａｒ３を載せる。この例では、物品Ａｒ１〜Ａｒ３として、筆記具、鋏及びスティック糊が示されている。
【００２３】
つぎに、図３（Ｂ）に示すように、布製品１０の第１角部１０ａ側を捲って、物品Ａｒ１〜Ａｒ３に布製品１０の一部を覆うように被せる。
【００２４】
つぎに、図４（Ｃ）に示すように、布製品１０の第３角部１０ｃ側を捲って、第１角部１０ａ側の部分に第３角部１０ｃ側の部分を重ねる。このとき、第１角部１０ａ側の部分の雄の面ファスナ部２２と第３角部１０ｃ側の部分の雌の面ファスナ部２１とが結合する。
【００２５】
つぎに、図４（Ｄ）に示すように、布製品１０の第２角部１０ｂ側を捲って、既に結合している部分に重ねる。このとき、第２角部１０ｂ側の部分の雌の面ファスナ部２１と第１角部１０ａ側および第３角部１０ｃ側の部分の雄の面ファスナ部２２とが結合する。
【００２６】
つぎに、布製品１０の第４角部１０ｄ側を捲って、既に結合している部分に重ねる。このとき、第４角部１０ｄ側の部分の雌の面ファスナ部２１と第１角部１０ａ側および第３角部１０ｃ側の部分の雄の面ファスナ部２２とが結合する。これにより、図５に示すように、布製品１０で物品を四方から包む工程が完了する。
【００２７】
（例２）
図６は、布製品１０を使用して、複数の物品を結束した状態を例示している。この例では、物品Ａｒ４、Ａｒ５として、丸棒および角棒が示されている。この状態は、第１面１１側を内側にして、布製品１０を物品Ａｒ４、Ａｒ５に巻き付けることにより実現される。雌の面ファスナ部２１と雄の面ファスナ部２２とが結合することにより、物品Ａｒ４、Ａｒ５が十分な強度で結束される。
【００２８】
［作用効果］
上記のように構成された布製品１０は、タオルとしての用途に適した柔軟性および吸水性を有しつつ、第１面１１の全面が雌の面ファスナ部２１として機能し、第２面１２の全面が雄の面ファスナ部２２として機能することにより、第１面１１の任意の部分と第２面１２の任意の部分とを接合することによって物品を包むことができるので、タオルとしての用途に加え物品を包む用途にも適している。この布製品１０は、略正方形に形成されているので、風呂敷のように四方から物品を包むのに適している。
【００２９】
また、布製品１０は、多数のループパイル状に形成された軟らかい多数の雌繊維部２１ａにより第１面１１が構成され、その第１面１１の雌繊維部２１ａと第２面１２の雄繊維部２２ａとが絡みあうことにより、第１面１１の任意の部分と第２面１２の任意の部分とが結合されるので、タオルの特性を損なうことなく物品を包むことができる。
【００３０】
また、布製品１０によれば、雄の面ファスナ部２２として機能する第２面１２に絵柄が付されていることにより、タオルとしての用途に加え物品を包む用途にも適した絵柄付きの布製品が実現される。雌の面ファスナ部２１として機能する第１面１１に絵柄を付すことも可能であるが、雌の面ファスナ部２１はループパイル状に形成された雌繊維部２１ａからなるため、第１面１１に絵柄を付した場合と比較して、付された絵柄の明瞭性が劣ることになる。これに対し、雄の面ファスナ部２２として機能する第２面１２は、雌繊維部２１ａよりも毛足が短く強い腰を有する雄繊維部２２ａからなるので、絵柄を付す面として適している。
【００３１】
また、布製品１０は、全周に亘って縢り縫いが施されているので、タオルとしての用途に加え物品を包む用途にも適しかつ周縁部がほつれ難いという優れた製品特性を有する。
【００３２】
なお、本考案は上記実施形態に限定されない。たとえば、上記実施形態では、略正方形の布製品を例示したが、略長方形、略円形などその他の形状の布製品とすることも可能である。
【００３３】
また、上記実施形態では、タオルとしての用途に加え物品を包む用途にも適した布製品について例示したが、本考案によれば、ブランケットとしての用途に加え物品を包む用途にも適した布製品を実現することも可能である。
【符号の説明】
【００３４】
１０  布製品
１１  第１面（一方の面）
１２  第２面（他方の面）
１３  縁取部
１４  絵柄
２１  雌の面ファスナ部
２１ａ  雌繊維部
２２  雄の面ファスナ部
２２ａ  雄繊維部
【図１】
0003230271.tif 000003
【図２】
0003230271.tif 000004
【図３】
0003230271.tif 000005
【図４】
0003230271.tif 000006
【図５】
0003230271.tif 000007
【図６】
0003230271.tif 000008
【手続補正書】
【提出日】令和2年8月5日(2020.8.5)
【手続補正１】
【補正対象書類名】明細書
【補正対象項目名】０００９
【補正方法】変更
【補正の内容】
【０００９】
また、請求項３の布製品は、請求項１の布製品において、前記雌雄一方の面ファスナ部は、多数のループパイル状に形成された雌繊維部を有し、前記雌雄他方の面ファスナ部は、第１繊維部に絡む雄繊維部を有することを特徴とする。
【手続補正２】
【補正対象書類名】実用新案登録請求の範囲
【補正対象項目名】請求項３
【補正方法】変更
【補正の内容】
【請求項３】
前記雌雄一方の面ファスナ部は、多数のループパイル状に形成された雌繊維部を有し、
前記雌雄他方の面ファスナ部は、第１繊維部に絡む短毛の雄繊維部を有することを特徴とする請求項１に記載の布製品。
【手続補正書】
【提出日】令和2年10月29日(2020.10.29)
【手続補正１】
【補正対象書類名】明細書
【補正対象項目名】０００９
【補正方法】変更
【補正の内容】
【０００９】
また、請求項３の布製品は、請求項１の布製品において、前記雌雄一方の面ファスナ部は、多数のループパイル状に形成された雌繊維部を有し、前記雌雄他方の面ファスナ部は、前記雌繊維部に絡む雄繊維部を有することを特徴とする。
【手続補正２】
【補正対象書類名】実用新案登録請求の範囲
【補正対象項目名】請求項３
【補正方法】変更
【補正の内容】
【請求項３】
前記雌雄一方の面ファスナ部は、多数のループパイル状に形成された雌繊維部を有し、
前記雌雄他方の面ファスナ部は、前記雌繊維部に絡む短毛の雄繊維部を有することを特徴とする請求項１に記載の布製品。